(57)【要約】【課題】設計および製造工数の小さくできる屋根上に固定される取り付け脚を備える鉄道車両用空調装置筺体を提供すること。【解決手段】本発明による鉄道車両の屋根上に固定される鉄道車両用空調装置筺体（１）であって、この空調装置筺体は、空調装置筺体の幅方向の両端部に備えられるとともに空調装置筺体の長手方向に沿ってその全長に渡って備えられる側板（２０）を有しており、側板は、側板から一体に水平方向に延伸するととともに鉄道車両の屋根上に固定される取り付け脚部（２２）を備えることを特徴とする。また、側板（２０）は、下部側板（２７）と、下部側板の上端部に載置される上部側板（２４）から構成されている。さらに、必要に応じて、上部側板２４の上部鉛直片２５と上部水平片２６とに跨って補強部２３が設けられている。【選択図】図２
2018131037.tif 000002
【特許請求の範囲】
【請求項１】
鉄道車両用の空調装置筺体において、
前記空調装置筺体の幅方向の両端部に、前記空調装置筺体の長手方向の全長に渡って設けられた側板と、
前記側板から水平方向に延伸された取り付け脚部を備えた鉄道車両用空調装置筺体。
【請求項２】
請求項１に記載された鉄道車両用空調装置筺体において、
前記側板は、
下部側板と、前記下部側板の上端部に載置される上部側板と、
を有しており、
前記下部側板は、
下部鉛直片と、前記下部鉛直片の高さ方向の上端部から前記空調装置筺体の幅方向に延伸する下部水平片と、
を有しており、
前記上部側板は、
上部鉛直片と、前記上部鉛直片の高さ方向の下端部から前記空調装置筺体の幅方向に延伸する上部水平片と、
を有しており、
前記取り付け脚部は、
前記下部水平片と前記上部水平片とを重ね合わせる態様で構成されること
を特徴とする鉄道車両用空調装置筺体。
【請求項３】
請求項２に記載される鉄道車両用空調装置筺体において、
前記上部側板及び前記下部側板は一つの部材から構成されること
を特徴とする鉄道車両用空調装置筺体。
【請求項４】
請求項２または３に記載される鉄道車両用空調装置筺体において、
前記下部水平片および前記上部水平片は、
前記空調装置筺体の幅方向に延伸する延伸寸法の小さい水平補強部と、
前記空調装置筺体の幅方向に延伸する延伸寸法の大きい水平補強部と、
を有しており、
前記取り付け脚部は前記延伸寸法の大きい水平補強部から構成されること
を特徴とする鉄道車両用空調装置筺体。
【請求項５】
請求項４に記載される鉄道車両用空調装置筺体において、
前記下部水平片と、前記下部水平片の上面に重ね載置される前記上部水平片と、を機械的締結手段によって締結したこと
を特徴とする鉄道車両用空調装置筺体。
【請求項６】
請求項４に記載される鉄道車両用空調装置筺体において、
前記取り付け脚部は、
前記鉄道車両用空調装置筺体を吊り上げる際に供される吊り上げ部を併設すること
を特徴等する鉄道車両用空調装置筺体。
【請求項７】
請求項４に記載される鉄道車両用空調装置筺体において、
前記側板の鉛直片と水平片とに跨る補強部を備えること
を特徴とする鉄道車両用空調装置筺体。
【発明の詳細な説明】
【技術分野】
【０００１】
本発明は、鉄道車両用空調装置の筺体に関する。
【背景技術】
【０００２】
従来、振り子式特急用鉄道車両等の一部を除いて、通勤電車等の鉄道車両は車内の温湿度環境を整える鉄道車両用空調装置（以下、空調装置と記す）を鉄道車両の屋根上に搭載している。そして、鉄道車両の屋根上には、枕木方向の両端部にレール方向に沿って離散的に空調装置が固定される設置台が備えられている。また、空調装置の筺体（以下、空調装置筺体と記す）の枕木方向の両端部には、レール方向に沿って設置台のレール方向の間隔と同じ間隔で、離散的に別部品からなる取り付け脚が備えられている。
【０００３】
特許文献１に、鉄道車両の屋根上に備えられる鉄道車両用ヒートポンプ式空調装置が開示されている。
【先行技術文献】
【特許文献】
【０００４】
【特許文献１】特開２０１３−１７３４１０号公報
【発明の概要】
【発明が解決しようとする課題】
【０００５】
鉄道車両に供される空調装置等を含む電気品や各種部品等は、鉄道車両が軌道を走行する時の振動や編成が組成される際の連結時の衝撃等の影響を受ける。このような鉄道車両の走行時の振動は、鉄道車両の営業速度やレールおよび軌道条件およびその他の環境条件によって変化する。
【０００６】
このため、電気品や各種部品等が営業に供される長年にわたり確実に鉄道車両に固定されるとともに故障せず満足に動作するかどうかを評価するための設計指針および試験仕様がＪＩＳ  Ｅ  ４０３１（ＩＥＣ６１３７３）鉄道車両用品−振動及び衝撃試験方法に規定されている。
【０００７】
この振動試験方法は、レール方向、枕木方向、上下方向の振動耐久試験および衝撃試験を含んでいる。特に、鉄道車両の屋根上に取り付けられる空調装置の場合、空調装置の質量と加振加速度からなる衝撃荷重が４〜８点の取り付け脚に集中的に作用するため、取り付け脚と空調装置筺体（側板）との接合部に許容範囲を超える大きな応力が生じる場合があった。
【０００８】
許容応力を超過する応力が観察される取り付け脚に対しては、取り付け脚および取り付け脚が固定される筺体の側面の側板について、板厚を大きくしたり、取り付け脚と側面とを接続する補強を追設したりすることが必要となるため、空調装置筺体の設計および製造工数が大きくなる傾向があった。
【０００９】
本発明の目的は、設計および製造工数が小さい取り付け脚を備える鉄道車両用空調装置筺体を提供することである。
【課題を解決するための手段】
【００１０】
上記課題を解決するために、代表的な本発明の鉄道車両用空調装置筺体は、空調装置筺体の幅方向の両端部に、空調装置筺体の長手方向の全長に渡って設けられた側板と、
この側板から水平方向に延伸された取り付け脚部
を備えることを特徴とする。
【発明の効果】
【００１１】
本発明によれば、設計および製造工数が小さい取り付け脚を備える鉄道車両用空調装置筺体を提供することができる。
【図面の簡単な説明】
【００１２】
【図１】図１は、本発明による空調装置筺体の全体の斜視図である。
【図２】図２は、空調装置筺体の側板に備えられる取り付け脚の拡大斜視図（図１Ａ部）である。
【図３】図３は、空調装置筺体を構成する側板をなす上部側板の斜視図である。
【図４】図４は、空調装置筺体を構成する側板をなす下部側板の斜視図である。
【発明を実施するための形態】
【００１３】
以下、図を参照しながら、本発明による実施の形態を説明する。
【００１４】
まず、発明の実施態様を説明するために供される各方向を定義する。空調装置筺体（鉄道車両）の長手方向またはレール方向をＸ方向、空調装置筺体（鉄道車両）の幅方向または枕木方向をＹ方向、空調装置筺体（鉄道車両）の上下方向または高さ方向をＺ方向とする。以下、単に、Ｘ方向、Ｙ方向、Ｚ方向と記す場合がある。
【００１５】
（第一の実施態様）
図１は、本発明による空調装置筺体の全体の斜視図である。空調装置筺体１は、Ｘ方向の両端部に備えられる妻板１０と、Ｙ方向に両端部に備えられる側板２０と、Ｙ方向に沿って備えられる複数の仕切り板３０と、底板５などから構成される。
【００１６】
妻板１０または仕切り板３０は、新鮮気室Ａと室内機器室Ｂと機器室Ｃと室外機室Ｄと排気送風機室Ｅを区画する。図示はしないが、区画された各室は、側板のＺ方向の上端部に備えられる固定座３３（図２参照）に固定される室内上面カバーや室外上面カバー等の各室カバーによって覆われる。
【００１７】
側板２０には、Ｙ方向に延伸する取り付け脚部２２がＸ方向に沿って離散的に備えられる。なお、取り付け脚部２２は、空調装置筺体１のＹ方向の中央部におけるＸ−Ｚ平面に対して面対称に備えられる。また、取り付け脚部２２は、図１に示されるように様々な大きさや形状の構成がとり得るものであり、ひとつの形状に限定されるものではない。
【００１８】
空調装置筺体１（空調装置が空調装置筐体に取り付けられたものを含む）は、取り付け脚部２２が、鉄道車両の屋根上のＹ方向の両端部にＸ方向に沿って備えられている設置台の上面に載置され、取り付け脚部２２と設置台とがボルト、ナット等の締結手段によって固定されることによって、鉄道車両の屋根上に固定される。
【００１９】
図２は、空調装置筺体の側板に備えられる取り付け脚の拡大斜視図（図１Ａ部）である。図３は空調装置筺体を構成する側板をなす上部側板の斜視図であり、図４は空調装置筺体を構成する側板をなす下部側板の斜視図である。
【００２０】
空調装置筺体１の一部を構成する側板２０は、空調装置筺体１のＸ方向の一方の端部から他方の端部まで連続的に備えられている。そして、側板２０は、上部側板２４（図３参照）と下部側板２７（図４参照）から構成される。さらに、上部側板２４は上部鉛直片２５と、上部鉛直片２５のＺ方向の下端部からＹ方向に延伸する上部水平片２６からなる。下部側板２７は下部鉛直片２８と、下部鉛直片２８のＺ方向の上端部からＹ方向に延伸する下部水平片２９からなる。
【００２１】
上部側板２４は、曲げ加工によって一つの部材から上部鉛直片２５と上部水平片２６が形成されており、上部鉛直片２５と上部水平片２６が一体に備わっている。同様に、下部側板２７も、曲げ加工によって下部鉛直片２８と下部水平片２９とを一体に備える。上部水平片２６は、Ｙ方向への延伸寸法の小さい水平補強部２１とＹ方向への延伸寸法の大きい水平補強部を有しており、延伸寸法の大きい水平補強部を取り付け脚部２２として用いる（図３参照）。同様に、下部水平片２９も、Ｙ方向への延伸寸法の小さい水平補強部２１とＹ方向への延伸寸法の大きい水平補強部を有しており、延伸寸法の大きい水平補強部を取り付け脚部２２として用いる（図４参照）。
【００２２】
側板２０は、上部側板２４の上部水平片２６を下部側板２７の下部水平片２９に重ねて、水平補強部２1および取り付け脚部２２をスポット溶接またはリベット等の機械的締結手段等によって接続することによって製造される。
【００２３】
さらに、空調装置筺体１（空調装置）がＺ方向の加振を受けた場合に、取り付け脚部２２のＸ方向軸周りの曲げを抑制すること目的として、取り付け脚部２２は、取り付け脚部２２をなす上部側板２４の上部鉛直片２５と上部水平片２６とに跨って接続される補強部２３を有しても良い（図２参照）。また、図示はしないが、必要に応じて、補強部２３を、取り付け脚部２２をなす下部側板２７の下部水平片２９と下部鉛直片２８とに跨る態様で補強部を備えても良い。つまり、上部側板であっても、下部側板であっても、Ｙ−Ｚ平面内に側板の鉛直片と水平片とに跨る補強部を設けることによって、Ｘ方向軸周りの曲げを抑制することができる。
【００２４】
なお、取り付け脚部２２の一対の補強部２３ａで囲まれる部位は、空調装置筺体１（空調装置）を運搬する際に、吊り上げワイヤの先端に備えられるフックが差し込まれる吊り上げ部である（図２参照）。本発明の実施の形態では、この吊り上げ部を取り付け脚部２２に含んだ形態を一例として説明したが、上述した構成によって側板２０と一体に備えられる吊り上げ部を、取り付け脚部２２から分離して備えても良い。
【００２５】
（第二の実施態様）
第一の実施態様においては、上部側板２４と下部側板２７を図３および図４に示すようにそれぞれ別の部材で構成したが、上部側板２４及び下部側板２７を一つの部材で構成しても良い。図示はしないが、上部側板２４と下部側板２７を含む１枚の側板を準備し、上部側板２４と下部側板２７の境界となる線（つまり側板のＺ方向の中央部）に沿って山折りに曲げ加工を施すことによって、第一の実施態様で形成したのと同様の取り付け脚部２２および水平補強部２１を有する側板を得ることができる。この場合、山折りによって重ねられる部位を機械的締結手段またはスポット溶接等によって接続することによって、山折り部がＺ方向に開くことを抑制するとともに強固な取り付け脚部２２および水平補強部２１を側板に備えることができる。
その他の点は、第一の実施態様と同様である。
【００２６】
以上のとおり、第一の実施態様、第二の実施態様のいずれの構成による場合であっても、空調装置筺体１は、側板２０からＹ方向（水平方向）に延伸するとともに側板２０と一体の取り付け脚部２２を備えることができるため、別部品からなる取り付け脚を側板の側面に溶接等で固定する従来の空調装置筺体に比較して、高い強度を備えることができる。
【００２７】
さらに、本発明による空調装置筺体１は、取り付け脚部２２を側板２０と同一部材（母材）で構成できるため、ＪＩＳ  Ｅ  ４０３１などで規定される振動耐久試験において強度を評価する際に、入熱の影響で強度が低下する溶接部の疲労強度評価ではなく、高い強度を維持できる母材での疲労強度評価となるため、より高い安全率を確保することができる。
【００２８】
さらに、本発明による空調装置筺体１は、取り付け脚部２２を側板２０と同一部材（母材）で構成することで、高い強度を維持できるため、側板２０の板厚を大きくすることによる空調装置筺体の重量増大や、側板に別部品の取り付け脚部を備える場合に必要となる各種の補強部材を省略することができる。このため、設計および製作工数の小さい空調装置筺体を提供することができる。
【００２９】
さらに、側板２０のＸ方向の全長に渡ってＹ方向に延伸される水平補強部２１を備えるため、空調装置筺体１のＹ方向の高い剛性を備えることができるため、特に、Ｙ方向の振動耐久性を高めるとともにＹ方向の高い衝撃耐久性を備えることができる。
【００３０】
なお、本発明は上記した実施形態に限定されるものではなく、様々な変形例が含まれる。例えば、各部材の大きさや数、形状等は適宜変更することができることは言うまでもない。上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、各実施形態の構成の一部について、他の構成の追加・削除・置換をすることが可能である。
【符号の説明】
【００３１】
１…空調装置筺体                            ５…底板
１０…妻板                                  ２０…側板
２１…水平補強部                            ２２…取り付け脚部
２３…補強部                                ２４…上部側板
２５…上部鉛直片                            ２６…上部水平片
２７…下部側板                              ２８…下部鉛直片
２９…下部水平片                            ３０…仕切り板
３３…固定座
Ａ…新鮮気室                                Ｂ…室内機器室
Ｃ…機器室                                  Ｄ…室外機室
Ｅ…排気送風機室                            Ｘ…レール方向（長手方向）
Ｙ…枕木方向（幅方向）                      Ｚ…上下方向（高さ方向）
【図１】
2018131037.tif 000003
【図２】
2018131037.tif 000004
【図３】
2018131037.tif 000005
【図４】
2018131037.tif 000006